(57)【要約】【課題】　土砂に固化材を添加して混練した流動性改良土を、打設船上から水底まで移送管を通して下方に移送して水底に打設するようにした改良土打設装置において、移送管内への水に逆流を防止して、移送管内を下降する改良土が水底に到達するまで改良土中の土砂の分離を効果的に抑えられるようにする。【解決手段】　移送管１２には、その管１２の出口１２ｏを開閉し得る開閉弁Ｖを取付け、この開閉弁Ｖには、これを閉弁位置Ｖａに保持するための閉弁方向の付勢力を付与する付勢手段Ｆを連結し、移送管１２内の改良土Ｓの重量が前記開閉弁Ｖに　　　　　　　　及ぼす開弁力の増加に応じて、該開閉弁Ｖが前記付勢手段Ｆの付勢力に抗して開弁する。【選択図】　　図４
2004092386.tif 000002
【特許請求の範囲】
【請求項１】
土砂に固化材を添加して混練した流動性改良土（Ｓ）を、打設船（ＳＳ）上から水底（Ｅ）まで移送管（１２）を通して下方に移送して水底（Ｅ）に打設するようにした改良土打設装置において、
　前記移送管（１２）には、その管（１２）の出口（１２ｏ）を開閉し得る開閉弁（Ｖ）を取付け、
　この開閉弁（Ｖ）には、これを閉じ位置（Ｖａ）に保持するための閉弁方向の付勢力を該弁（Ｖ）に付与する付勢手段（Ｆ、Ｓｐ）を連結し、
　移送管（１２）内の改良土（Ｓ）の重量が前記開閉弁（Ｖ）に及ぼす開弁力の増加に応じて、該開閉弁（Ｖ）が前記付勢手段（Ｆ、Ｓｐ）の付勢力に抗して開弁することを特徴とする、改良土打設装置における移送管内水逆流防止装置。
【請求項２】
土砂に固化材を添加して混練した流動性改良土（Ｓ）を、打設船（ＳＳ）上から水底（Ｅ）まで移送管（１２）を通して下方に移送して水底（Ｅ）に打設するようにした改良土打設装置において、
　前記移送管（１２）には、その管（１２）の出口（１２ｏ）を開閉し得る開閉弁（Ｖ）を取付け、
　この開閉弁（Ｖ）には、これを閉じ位置（Ｖａ）に保持するための浮力を該弁（Ｖ）に付与するフロート（Ｆ）を連結し、
　移送管（１２）内の改良土（Ｓ）の重量が前記開閉弁（Ｖ）に及ぼす開弁力の増加に応じて、該開閉弁（Ｖ）が前記フロート（Ｆ）の浮力に抗して開弁することを特徴とする、改良土打設装置における移送管内水逆流防止装置。
【請求項３】
前記開閉弁（Ｖ）を閉じ位置（Ｖａ）に随時にロックし得る保持機構（Ｈ）を備えたことを特徴とする、請求項２に記載の改良土打設装置における移送管内水逆流防止装置。
【請求項４】
前記開閉弁（Ｖ）とフロート（Ｆ）とを一体的に結合したことを特徴とする、請求項２又は３に記載の改良土打設装置における移送管内水逆流防止装置。
【発明の詳細な説明】
【技術分野】
【０００１】
　本発明は、土砂に固化材を添加して混練した流動性改良土を、打設船上から水底まで移送管を通して下方に移送して水底に打設するようにした改良土打設装置における移送管内水逆流防止装置に関する。
【背景技術】
【０００２】
　沿岸海域の埋立や人工島の造成等の港湾工事において、海底等からの浚渫土砂、その他の土砂にセメント系の固化材や水を添加して混練したスラリ状の流動性改良土を、プラント船等の混練施設より打設船まで強制搬送し、更にその改良土を打設船上から移送管を通して処分地の水底まで流下させ、該管の下端出口から前記改良土を水底に打設して固化させるようにした工法は、従来公知である（例えば下記の特許文献１を参照）。
【特許文献１】特開２０００−１２９６５２号公報
【発明の開示】
【発明が解決しようとする課題】
【０００３】
　ところでこのような従来公知の打設工法において、上記改良土は自己の粘性により移送管内を比較的緩やかに流下して水底に向かい、移送管の下端出口より緩徐に且つ連続的に吐き出されて水底に打設されるようになっているが、従来では、移送管として、出口部を含む全体が略真っ直ぐな管が使用されているため、次のような問題があることが判明した。
【０００４】
　即ち、上記改良土の打設時においては、移送管内の下端出口から改良土を連続的に吐き出させるようにしているが、その際に、例えば図７の（ａ）に示すように移送管の下端出口から管の内壁近傍に外部の海水が多少侵入することがある。この侵入した海水は、改良土（土砂）との比重差により管内壁に沿って徐々に逆流上昇して、その管内壁近傍の改良土と混じり合うことによりその粘性を低下させる（図７の（ｂ）を参照）。
【０００５】
　そして、この粘性低下により、図７の（ｃ）に示すように移送管の出口近くの改良土がその上側の改良土より剥がれ落ちて、管内を急速に（即ち通常の流下速度よりも高速で）下降し始め、その下降分だけ海水が管内を逆流上昇する。その上昇した水は、図７の（ｄ）に示すように更にその上側の改良土と移送管内壁との間に侵入上昇しようとし、上記と同様の作用で、該上側の改良土が、更にその上側の改良土より剥がれ落ちて管内を急速に下降し始め、その下降分だけ海水が管内を更に逆流上昇する。
【０００６】
　このようなことが繰り返されると、移送管内のかなり上方まで海水が逆流上昇し、そうした状態では、移送管内を落下する改良土は、それが管の下端出口に到達するまでの間に管内の多量の海水と十分に混じり合うこととなって、その管内でかなりの量の土砂が固化材等と分離してしまう。ところが斯かる移送管内での土砂の分離現象は、(1)水底に打設した改良土（土砂）の固まる速度を遅くする、(2)その固まる強さが十分ではない、(3)土砂から遊離した多量の固化材が打設処分地周辺の水域を汚濁する等の問題を生じさせる。
【０００７】
　尚、以上説明した移送管内への海水逆流の問題は、打設船上から移送管内への改良土の供給速度が特に遅い（従って供給量が少ない）場合や、供給が間欠的になされて一時的に供給が中断するような場合等において顕著に現れる。
【０００８】
　本発明は、斯かる実情に鑑みてなされたもので、移送管内への海水逆流の問題を簡単な構造で効果的に解決できるようにした、改良土打設装置における移送管内水逆流防止装置を提供することを目的とする。
【課題を解決するための手段】
【０００９】
　前記目的達成のため、請求項１の発明は、土砂に固化材を添加して混練した流動性改良土を、打設船上から水底まで移送管を通して下方に移送して水底に打設するようにした改良土打設装置において、前記移送管には、その管の出口を開閉し得る開閉弁を取付け、この開閉弁には、これを閉じ位置に保持するための閉弁方向の付勢力を該弁に付与する付勢手段を連結し、移送管内の改良土の重量が前記開閉弁に及ぼす開弁力の増加に応じて、該開閉弁が前記付勢手段の付勢力に抗して開弁することを特徴としている。
【００１０】
　また請求項２の発明は、土砂に固化材を添加して混練した流動性改良土を、打設船上から水底まで移送管を通して下方に移送して水底に打設するようにした改良土打設装置において、前記移送管には、その管の出口を開閉し得る開閉弁を取付け、この開閉弁には、これを閉じ位置に保持するための浮力を該弁に付与するフロートを連結し、移送管内の改良土の重量が前記開閉弁に及ぼす開弁力の増加に応じて、該開閉弁が前記フロートの浮力に抗して開弁することを特徴としている。
【００１１】
　上記請求項１、２の発明の特徴によれば、移送管を水中に沈めた状態で、その管内に改良土が無い場合あるいは少量有る場合には、上記開閉弁が、これに加わる水圧と付勢手段の付勢力（請求項２ではフロートの浮力）とに基づく閉弁力により閉じ位置に保持されて、管内への水の逆流を阻止するので、その管内には水が溜まらない。この状態より打設工程が始まり、打設船上から移送管の上流部に改良土が供給され、それが出口近くまで流下してくると、その重量が開閉弁に対し開弁力を及ぼすようになり、その開弁力は改良土の供給量増加に応じて増加する。そしてこの開弁力が限界値を超えると、開閉弁が上記付勢手段の付勢力及び水圧に抗して開弁動作して、移送管出口から改良土が徐々に吐き出されるようになる。その開弁後においても、開閉弁には付勢手段の付勢力に基づき適度な閉弁力が作用するため、改良土は移送管の出口から適量ずつ吐き出されて水底に打設される。　　　
【００１２】
　斯かる打設工程中においては、打設船上から移送管内への改良土の供給速度が非常に遅くなる場合や、その改良土の供給が間欠的になされて一時的に供給が中断してしまう場合がある。このような場合には、移送管出口からの改良土排出に打設船上からの改良土補給が追いつかず、移送管内の改良土の残量が徐々に少なくなっていくが、その残量が所定限界（例えば、図示例では出口から上流側に１〜２ｍ程度の残量）まで減少すると、開閉弁は、付勢手段の付勢力に基づき再び閉弁動作して移送管の出口を遮断する。
【００１３】
　かくして、打設工程中も、また待機中も、移送管内へはその出口から多量の水が逆流上昇することはなく、打設船上から移送管内を流下して水底に向かう改良土は、それが管出口に到達するまでの間に管内で水と混じり合う虞れは殆どなくなり、従って改良土中の土砂が移送管内で水と混じって固化材等と分離するのを効果的に抑えることができる。これにより、移送管の出口からは、土砂が分離していない（即ち土砂と固化材とが十分に混合した）適正状態の改良土を水底に打設できるから、その打設された改良土（土砂）を迅速且つ強固に固まらせることができ、また土砂からの固化材の遊離も極力少量に抑えられるから、固化材の拡散に因る打設処分地周辺の水域の汚濁防止にも有効である。
【００１４】
　また請求項３の発明は、請求項２の発明の特徴に加えて、前記開閉弁を閉じ位置に随時にロックし得る保持機構を備えたことを特徴とし、この特徴によれば、移送管の出口が水深の比較的浅い水域に在って、フロートに働く浮力（従って閉弁付勢力）が比較的小さい場合でも、上記保持機構を作動させることにより開閉弁を確実に閉じ位置にロックすることができる。従って移送管を水面近くで上下動させるような場合でも該管の出口を確実に塞いでおくことができて、管内への水の逆流や管出口からの改良土排出を確実に防止できる。
【００１５】
　更に請求項４の発明は、請求項２又は３の発明の特徴に加えて、前記開閉弁とフロートとを一体的に結合したことを特徴とし、この特徴によれば、開閉弁とフロートを単一部品として取り扱うことが可能となるため、装置の構造簡素化が図られ、また装置の組立作業性やメンテナンス作業性が良好となる。
【発明の効果】
【００１６】
　以上のように請求項１、２の各発明によれば、移送管に、その出口を開閉し得る開閉弁を設け、この開閉弁が通常は付勢手段の付勢力（請求項２ではフロートの浮力）に基づき閉じ位置に保持されることで、移送管内への水の逆流を阻止できるようにし、また打設船上から移送管下流部への改良土の供給量が増えると、その改良土の重量に基づく開弁力の増加に応じて開閉弁が開弁動作することで、移送管出口から水底に改良土を適量ずつ打設できるようにし、更にその打設工程中に打設船上から移送管内への改良土の供給が一時的に中断する等して移送管内の改良土の残量が所定限界量まで減少した場合には、前記付勢手段の付勢力に基づいて開閉弁が再び閉弁動作することで、移送管内への水の逆流を再び阻止できるようにしている。以上の結果、打設工程中も、また待機中も、移送管内へはその出口から多量の水が逆流上昇する恐れはなくなり、移送管内を流下する改良土は、それが管出口に到達するまでの間に水と混じり合う虞れは殆どなくなるため、その移送管の出口からは、土砂が分離していない適正状態の改良土を水底に打設でき、これにより、その打設された改良土を迅速且つ強固に固まらせることができ、またその打設の際に土砂から遊離する固化材も極力少量に抑えられるから、固化材の拡散に因る打設処分地周辺の水域の汚濁防止にも有効である。その上、開閉弁を自動開閉させるために、該弁にはこれに閉弁付勢力を付与する付勢手段を単に連結するだけでよく、その自動開閉を制御する高価な制御手段を特別に設ける必要はないから、装置の構造簡素化ひいてはコスト節減に寄与することができる。
【００１７】
　また特に請求項３の発明によれば、開閉弁を閉じ位置に随時にロックし得る保持機構を備えるので、移送管の出口が水深の比較的浅い水域に在って、フロートに働く浮力（従って閉弁付勢力）が比較的小さい場合でも、上記保持機構を作動させることにより開閉弁を確実に閉じ位置に保持でき、これにより、移送管を水面近くで上下動させるような場合でも該管の出口を確実に塞ぐことができて、管内への水の逆流や管出口からの改良土排出を確実に防止できる。
【００１８】
　また特に請求項４の発明によれば、開閉弁とフロートとを一体的に結合したので、開閉弁とフロートを単一部品として取り扱うことが可能となり、これにより、装置の構造簡素化ひいてはコスト節減が図られ、また装置の組立作業性やメンテナンス作業性が良好となる。
【発明を実施するための最良の形態】
【００１９】
　以下、本発明の実施の形態を、添付図面に例示した本発明の実施例に基づいて以下に具体的に説明する。
【００２０】
　図１は、改良土の搬送打設システムの一例を示す概略平面図、図２は図１の２−２線に沿う拡大側面図、図３は、本発明の第１実施例に係る移送管を利用した打設船の要部破断拡大側面図（図２の３線矢視拡大図）、図４は、前記移送管の先部の拡大図（図３の４矢視部拡大図）、図５は、第２実施例に係る移送管の先部を示す縦断面図、図６は、第３実施例に係る移送管の先部を示す縦断面図である。
【００２１】
　図１、２において、堤防Ｂは、処分地としての埋立地Ｇｒを有する埋立域Ａ1 と、その周辺域Ａ2 との間を仕切るように、海底に起立構築されており、その周辺域Ａ2 には、浚渫土砂に固化材を添加し混練すると共にそれを風力搬送するための処理船ＳＷ（特開平７−７６４５４号公報参照）が繋留される。その処理船ＳＷの一側には、別の場所で浚渫された大量の土砂を、その周辺域Ａ2 まで運搬してきた土運船ＳＥが横付けされ、さらに処理船ＳＷの他側には、固化材としてのセメントを水と混練したセメントスラリーを生成する固化材プラント船ＳＰが横付けされる。
【００２２】
　土運船ＳＥ内の浚渫土砂は、処理船ＳＷ上に搭載されている揚土機（バックホー）３３により、該処理船ＳＷのホッパ３４内に投入され、またこれと並行して固化材プラント船ＳＰにより生成されたセメントスラリーを前記ホッパ３４内に連続的に注入する。
【００２３】
　処理船ＳＷでは、ホッパ３４下部の処理室において、前記浚渫土砂を粉砕するとともにセメントスラリーと攪拌混合し、該処理船ＳＷ内のロータの回転とコンプレッサの駆動により得られる加圧空気を利用して、粉砕された浚渫土砂とセメントスラリーの混合体すなわち改良土Ｓを、該処理室出口に接続される複数のフロート管８により浮遊している排送管６へと強制搬送する。排送管６は堤防Ｂを乗り越えて埋立域Ａ1 へと延長されていて、その埋立域Ａ1 に繋留されている打設船ＳＳへと搬送される。
【００２４】
　打設船ＳＳからは、後に詳述するように移送管１２を通して、改良土Ｓの、浚渫土砂とセメントスラリーとが分離することなく連続的に処分地すなわち埋立地Ｇｒの水底Ｅに打設される。
【００２５】
　次に主に図３、４を参照して、打設船ＳＳに設置される改良土打設装置Ｄの具体的構造について説明する。
【００２６】
　この打設船ＳＳの船体１上には、サージタンク１０と、該タンク１０上に一体的に立設したサイクロン３とが固定支持される。サイクロン３は密閉円筒状のサイクロン本体３ｂを有し、その一側上部に流入口３ｉが、またその下部に流出口３ｏがそれぞれ開口され、またその上壁中央部にエア分離室３ｓが設けられる。エア分離室３ｓの上端部はエアダクト５に接続され、このエアダクト５の外端に、大気開放の排出口５ｏが開口している。サイクロン３の流入口３ｉには、処理船ＳＷから延びる排送管６の出口６ｏが接続されている。
【００２７】
　排送管６内を風力搬送される改良土Ｓは、サイクロン３内に入り、そこに混合されているエアが分離されたのち、サイクロン本体３ｂ下方のサージタンク１０内に向かう。
【００２８】
　前記サージタンク１０の上壁には、サイクロン３の流出口３ｏと直接連通する入口１０ｉが開口され、またその底壁１０ｆは漏斗状に形成され、その最下部に出口１０ｏが開口される。サイクロン３内でエアと分離された改良土Ｓはその自重でサージタンク１０側に流動して同タンク１０内に貯蔵され、その底部から更にタンク下方の移送管１２内へ自重で流動する。
【００２９】
　その移送管１２は、それの上流端部に一体的に沿設した支持枠１７を枢軸１５を介して船体１に装着することにより、船体１に任意の傾斜角度に（例えば水面に対して０度〜９０度の傾斜角範囲で）揺動できるように支持される。その移送管１２内の上部と、サージタンク１０の底部出口１０ｏとの間は、前記枢軸１５を中心とした円弧に沿って伸縮可能なテレスコピック型の接続筒部１４を介して接続されており、その接続筒部１４を経てサージタンク１０内の改良土Ｓが自重で移送管１２内に流下する。尚、サージタンク１０の底部出口１０ｏには、該タンク１０内から移送管１２側へ流動する改良土Ｓの量を任意に調整可能な開閉弁（図示せず）を設けてもよい。
【００３０】
　また移送管１２の支持枠１７と船体１との間には、油圧シリンダ等のアクチュエータ１６が介装され、このアクチュエータ１６により移送管１２を枢軸１５回りに強制揺動させることで、移送管１２の水面に対する傾斜角度、従って移送管出口１２ｏの高さ（水深）を任意に調整可能としている。前記移送管１２は、水底Ｅに向かって斜め下方に略真っ直ぐに延びており、その下端出口１２ｏから改良土Ｓが水底Ｅに直接打設されるようになっている。
【００３１】
　移送管１２の先部には、その管１２の出口１２ｏを開閉し得る開閉弁Ｖが取付けられる。この開閉弁Ｖは、移送管１２の出口１２ｏ近傍の上壁部外面に一体的に延設した支持ブラケット１２ｂに枢軸Ｐを介して支持され、これにより、該弁Ｖは、移送管１２の出口１２ｏ開口縁に着座して該出口１２ｏを閉じる閉じ位置Ｖａと、同開口縁より離間して該出口１２ｏを開く所定の開き位置Ｖｂとの間を前記枢軸Ｐ回りに回動可能である。前記開き位置Ｖｂは、開閉弁Ｖと移送管１２との間に設けたストッパ機構（図示例では支持ブラケット１２ｂに一体に連設したストッパ１２ｓ）により規制されており、これにより、開閉弁Ｖが所定開度以上、即ち前記開き位置Ｖｂ以上開かないようになっている。尚、この所定開度は、任意に設定可能であり、例えば９０度前後に設定することもできる。
【００３２】
　また上記開閉弁Ｖは、該弁Ｖにそれ自体の重量及び浮力に基づき枢軸Ｐ回りに作用する開弁方向又は閉弁方向のモーメントが実質的に無視できるように、極力薄肉且つ軽量に構成される。
【００３３】
　また開閉弁Ｖには、これを閉弁方向に付勢する浮力を水中で受ける、付勢手段としてのフロートＦが連結され、このフロートＦは、図示例では開閉弁Ｖの自由端寄りの外面に一体的に結合されている。而して開閉弁Ｖは、移送管１２を水中に沈めて水底に前記改良土Ｓを打設可能な状態で、該弁Ｖに加わる水圧と前記フロートＦの浮力とに基づく閉弁力により通常は閉じ位置Ｖａに保持されるが、後述する打設工程で移送管１２内の改良土Ｓの重量に基づいて該弁Ｖに加わる開弁力が前記閉弁力を上回ると開弁動作する。尚、開閉弁Ｖに対するフロートＦの取付位置と、前記枢軸Ｐの位置とは、開閉弁Ｖが前記閉じ位置Ｖａと開き位置Ｖｂ間の何れの回動位置に在っても該フロートＦの浮力が該弁Ｖに閉弁力として働くように設定されることが望ましい。
【００３４】
　更に開閉弁Ｖには、これを閉じ位置Ｖａに随時にロックし得る保持機構Ｈが接続される。この保持機構Ｈは、図示例では、打設船ＳＳ上に配設されたロック機構付きの操作レバー（図示せず）と、該レバー及び開閉弁Ｖ間を連動連結すべく移送管１２の外面に沿って取り回される操作ワイヤ３０とから構成される。従って打設船ＳＳ上の操作レバーを介して操作ワイヤ３０を開閉弁Ｖの閉じ方向に牽引操作して、同レバーをその牽引位置にロックすることにより、開閉弁Ｖをその閉じ位置Ｖａにロックしておくことができる。
【００３５】
　次にこの打設船ＳＳの作用について説明する。打設作業に際しては、先ず、移送管１２をアクチュエータ１６により水中の使用位置までに水深に応じて適宜揺動傾斜させ、その出口１２ｏを水底近くに臨ませる。そして、処理船ＳＷにより排送管６を経て打設船ＳＳまで改良土Ｓ（浚渫土砂にセメントスラリーを攪拌混合した混合体すなわち埋立材）を風力搬送する。このとき、改良土Ｓは高い脈動風圧を受け、脈動流となってサイクロン３内に間歇的に搬送されるが、サイクロン３内でエアを分離されて後、サイクロン本体３ｂ内から自重によりサージタンク１０内に流動落下し、そこに一旦貯蔵される。
【００３６】
　そしてサージタンク１０内の貯蔵改良土Ｓは自重で移送管１２内へ徐々に流動し、その移送管１２の下端出口１２ｏより略一定量ずつ概ね連続的に処分地Ｇｒの水底Ｅに埋立打設される。
【００３７】
　ところでこのような改良土の打設工程において、移送管１２を水中に沈めた状態でその管内に改良土Ｓが無い場合あるいは少量有る場合には、その管１２の出口１２ｏ近くにある開閉弁Ｖが、これに加わる水圧とフロートＦの浮力とに基づく閉弁力により閉じ位置Ｖａに保持されて、管内への水の逆流を阻止するので、その管内には水が溜まらない。この状態より打設工程が始まり、打設船ＳＳ上から移送管１２の上流部に改良土Ｓが多量に供給され、それらが出口１２ｏ近くまで流下してくると、その重量が開閉弁Ｖに対し開弁力を及ぼし、その開弁力は、改良土の供給量増加に応じて漸増する。そしてこの改良土Ｓの重量に基づく開弁力が限界値を超えると、開閉弁Ｖが開弁動作して、移送管出口１２ｏから改良土が徐々に吐き出されるようになる。その開弁後においても、開閉弁ＶにはフロートＦの浮力に基づき適度な閉弁力が作用するため、改良土は移送管出口１２ｏから適量ずつ吐き出されて水底Ｅに打設され、その際に移送管１２内への水の逆流は殆ど起こらない。
【００３８】
　斯かる打設工程中においては、打設船ＳＳ上から移送管１２内への改良土の供給速度が非常に遅くなる場合や、その改良土の供給が間欠的になされて一時的に供給が中断する場合がある。このような場合には、移送管出口１２ｏからの改良土流出に打設船ＳＳ上からの改良土補給が追いつかず、移送管１２内の改良土の残量が徐々に少なくなっていくが、その残量が所定限界量（例えば、図示例では出口１２ｏから上流側に１〜２ｍ程度の残量）まで減少すると、開閉弁ＶはフロートＦの浮力に基づき再び閉弁動作して移送管１２の出口１２ｏを遮断する。
【００３９】
　このような開閉弁Ｖの閉弁状態で、移送管１２の出口１２ｏ近傍（例えば出口１２ｏから上流側に１〜２ｍ程度の範囲）には多少の改良土が残留しており、この改良土の残留と開閉弁Ｖの閉弁作用とが相俟って、移送管１２内への水の逆流が効果的に阻止される。
【００４０】
　かくして、打設工程中も、また待機中も、移送管１２内へはその出口１２ｏから多量の水が逆流上昇することはないため、打設船ＳＳ上から移送管１２内を流下して水底に向かう改良土Ｓは、それが管出口１２ｏに到達するまでの間に管内で水と混じり合う虞れが殆どなくなり、これにより、改良土Ｓ中の土砂が移送管１２内で固化材等と分離するのを効果的に抑えることができるので、管出口１２ｏからは、土砂が分離していない（即ち土砂と固化材とが十分に混合した）適正状態の改良土Ｓを水底Ｅに打設可能となる。従って、その打設された改良土Ｓを水底Ｅで迅速且つ強固に固まらせることができ、また、土砂からの固化材の遊離も極力少量に抑えられるから、固化材の拡散に因る打設処分地周辺の水域の汚濁防止にも有効である。
【００４１】
　また打設工程作業が終了すると、移送管１２を水面上に揚げるべく上方揺動させるが、そのときには、打設船ＳＳ上の図示しない操作レバーを牽引位置に保持して前記保持機構Ｈを作動させておくことにより、開閉弁Ｖを確実に閉じ位置Ｖａにロックしておくことができる。従って、移送管１２が水面上又は水面近くまで上昇したことに伴いフロートＦの浮力（従って閉弁力）が消滅又は大幅減少しても、開閉弁Ｖが妄りに開くことはない。また、この引き揚げ状態より移送管１２を下方揺動させて水中に沈める場合にも、上記のように保持機構Ｈを作動させることで、開閉弁Ｖを確実に閉じ位置Ｖａにロックしておくことができる。このように移送管１２をフロートＦの浮力が十分でない水面近く又は水面上で上下動させるような場合には、上記保持機構Ｈを作動状態にして開閉弁Ｖを確実にロックしておくことで、移送管１２内への水の逆流や管出口１２ｏからの改良土排出を確実に防止できる。
【００４２】
　またこの実施例では、開閉弁ＶとフロートＦを一体化することでそれらを単一部品として取り扱うことが可能となるため、装置の構造簡素化が図られ、また装置の組立作業性やメンテナンス作業性が良好となる。
【００４３】
　また図５には、本発明の第２実施例が示される。先の実施例では、開閉弁ＶとフロートＦを一体化していたが、この第２実施例では、開閉弁ＶとフロートＦを別体として相互に接離可能とし、その両者Ｖ、Ｆ間を可撓性の索条４０で連結するようにしている。
【００４４】
　さらに図６には、本発明の第３実施例が示される。先の実施例では、開閉弁Ｖを閉弁方向に付勢する付勢手段としてフロートＦを使用していたが、この第３実では、開閉弁Ｖと移送管１２との間に介装したスプリングＳｐを付勢手段として用いている。このスプリングＳｐは、それが移送管出口１２ｏからの改良土の流出の妨げとならないように該出口１２ｏの左右少なくとも一側方に配置されており、該スプリングＳｐの一端は開閉弁Ｖの左右少なくとも一側部に、またその他端は移送管１２の左右少なくとも一方の外側壁にそれぞれ連結される。
【００４５】
　而してこの実施例でも、先の実施例と基本的に同様の作用効果が達成され、更にスプリングＳｐの付勢力を利用しているので、水深に関係なく安定した閉弁付勢力を開閉弁Ｖに付与できる利点がある。
【００４６】
　以上、本発明の実施例について説明したが、本発明はその実施例に限定されることなく、本発明の範囲内で種々の実施例が可能である。たとえば前記実施例では、打設船ＳＳは自航船でも非自航船でもよい。
【００４７】
　また前記実施例では、開閉弁Ｖに該弁Ｖ自体の重量及び浮力に基づき枢軸Ｐ回りに作用する開弁方向又は閉弁方向のモーメントを無視できるように、開閉弁Ｖを極力薄肉且つ軽量に構成するようにしたが、そのモーメントが無視し得ない大きさの場合には、そのモーメントの大きさ、作用方向、変化等も考慮に入れて、開閉弁Ｖに所期の開弁力、閉弁力が働くように付勢手段（フロートＦ、スプリングＳｐ）の付勢力を設定する。
【００４８】
　また前記実施例では、開閉弁Ｖの枢軸Ｐを移送管出口１２ｏの上側に配置したものを示したが、この枢軸Ｐを移送管出口１２ｏの左右一側、又は下側に配設してもよい。
【００４９】
　また前記実施例では、移送管１２は油圧シリンダ１６により強制揺動させるようにしているが、その駆動手段として油圧シリンダに代えて他の駆動手段（例えばウインチ等）を採用してもよい。
【００５０】
　また前記実施例では、サージタンク１０の底部出口１０ｏと移送管１２内との間を該管１２の枢軸１５回りの揺動角度に関係なく常に連通させるために、その間をテレスコピック式に伸縮可能な接続筒部１４を介して接続するようにしたが、斯かる構造に代えて、接続筒部１４を蛇腹状に構成して、それが移送管１２の揺動に応じて撓みながら伸縮変形できるようにしてもよい。
【００５１】
　また前記実施例では、サージタンク１０内の改良土Ｓをその自重だけで移送管１２の上流側に補給移送するようにしたが、本発明では、スクリュー羽根を有するオーガ、その他の強制補給装置により、改良土Ｓを強制的に移送管１２の上流側に送るようにしてもよい。
【００５２】
　また前記実施例では、開閉弁Ｖを閉じ位置にロックし得る保持機構Ｈを、打設船ＳＳ上のロック機構付き操作レバーと、該レバー及び開閉弁Ｖ間を連動連結して移送管１２の外面に沿って取り回される操作ワイヤ３０とより構成したものを示したが、本発明では、保持機構Ｈを、移送管１２と開閉弁Ｖ間に設けられてアクチュエータにより駆動されるロック機構と、そのアクチュエータを打設船ＳＳ上より遠隔操作するための遠隔操作機構とより構成してもよい。
【図面の簡単な説明】
【００５３】
【図１】改良土の搬送打設システムの一例を示す概略平面図
【図２】図１の２−２線に沿う拡大側面図
【図３】本発明の第１実施例に係る移送管を利用した打設船の要部破断拡大側面図（図２の３線矢視拡大図）
【図４】前記移送管の先部の拡大図（図３の４矢視部拡大図）
【図５】第２実施例に係る移送管の先部を示す縦断面図
【図６】第３実施例に係る移送管の先部を示す縦断面図
【図７】従来の移送管の先部における水の逆流上昇メカニズムを簡略的に示す説明図
【符号の説明】
【００５４】
Ｄ・・・・・改良土打設装置
Ｆ・・・・・フロート（付勢手段）
Ｈ・・・・・ロック機構
Ｓｐ・・・・スプリング（付勢手段）
ＳＳ・・・・打設船
Ｖ・・・・・開閉弁
１・・・・・船体
１２・・・・移送管
１２ｏ・・・出口
【図１】
2004092386.tif 000003
【図２】
2004092386.tif 000004
【図３】
2004092386.tif 000005
【図４】
2004092386.tif 000006
【図５】
2004092386.tif 000007
【図６】
2004092386.tif 000008
【図７】
2004092386.tif 000009